(57)【要約】  【課題】日本および外国における周波数の異なる複数の標準電波を確実に選択受信する。  【解決手段】バラクタ６を含む同調回路７を備え、周波数の異なる複数の標準電波のいずれかを選択受信する受信部３と、複数の標準電波のそれぞれに対応した複数のフィルタ１８a〜１８fを備え、選択受信した標準電波を通過させるフィルタ部１８と、バラクタ６への印加直流電圧を可変し、同調回路７の同調周波数を変化させるバラクタ駆動部８と、受信部３による所定の選局動作終了を示す信号を受けてバラクタ駆動部８の駆動状態をロックするロック部９とを有することにより、日本および外国における周波数の異なる複数の標準電波を選択受信する。【選択図】図１
2005079919.tif 000002
【特許請求の範囲】
【請求項１】
バラクタを含む同調回路を備え、それぞれ時刻デ−タを含む周波数の異なる複数の標準電波のいずれかを選択受信する受信部と、前記複数の標準電波のそれぞれに対応した複数のフィルタを備え、前記受信部で選択受信した標準電波を通過させるフィルタ部と、該フィルタ部を通過した標準電波から前記時刻デ−タを復号する復号部と、前記バラクタへの印加直流電圧を可変し、前記同調回路の同調周波数を変化させて前記受信部に対し選局動作を行わせるバラクタ駆動部と、前記受信部による所定の選局動作終了を示す信号を受けて前記バラクタ駆動部の駆動状態をロックするロック部とを有することを特徴とする電波時計用受信モジュ−ル。
【請求項２】
前記バラクタ駆動部には、直列入力・並列出力のシフトレジスタを備え、該シフトレジスタに直列に順次入力する入力デ−タ量に応じて前記並列出力の出力デ−タ量を変化させ、この変化する並列出力の出力デ−タ量に対応した電圧値可変の直流電圧を前記バラクタへの印加直流電圧とする請求項１記載の電波時計用受信モジュ−ル。
【請求項３】
前記ロック部は、前記直列入力の入力デ−タを、前記受信部による所定の選局動作終了を示す信号に対応したデ−タに保持するデ−タ・ラッチである請求項２記載の電波時計用受信モジュ−ル。
【請求項４】
前記バラクタ駆動部は、電圧制御発信器の発信周波数を分周比可変のプログラマブル分周器で分周し、その分周信号と基準発信器からの基準信号との位相差を位相検出器で検出し、ル−プフィルタで前記位相差に対応した直流電圧を得て該直流電圧を前記電圧制御発信器に加えるフェ−ズロックル−プであり、前記プログラマブル分周器における分周比可変用のデ−タを順次変化させることにより前記電圧制御発信器への印加直流電圧を可変するとともに、該電圧制御発信器へ印加される電圧値可変の直流電圧を前記バラクタへの印加直流電圧とする請求項１記載の電波時計用受信モジュ−ル。
【請求項５】
前記ロック部は、前記プログラマブル分周器における分周比可変用のデ−タを、前記受信部による所定の選局動作終了を示す信号に対応したデ−タに保持して、前記フェ−ズロックル−プのル−プ動作をロックするデ−タ・ラッチである請求項４記載の電波時計用受信モジュ−ル。
【請求項６】
前記フィルタ部には、日本および外国における３以上の複数の電波局から送出される周波数の異なる複数の標準電波に対応した複数のフィルタを備えさせた請求項１、２、３、４または５記載の電波時計用受信モジュ−ル。
【発明の詳細な説明】
【技術分野】
【０００１】
本発明は、電波時計用受信モジュ−ルに関するものであり、特に、日本および外国における周波数の異なる複数の標準電波を受信することが可能な電波時計用受信モジュ−ルに関するものである。
【背景技術】
【０００２】
この種の従来技術として、１つの電波局から送出される１種の周波数の標準電波を受信可能とした、いわゆる１局対応の電波時計、もしくは２つの電波局から送出される周波数の異なる２種の標準電波を選択的に受信可能とした、いわゆる２局対応の電波時計が知られている。
【０００３】
このうち、２局対応の従来技術として、例えば、次のような標準電波受信機が知られている。この標準電波受信機は、時刻デ−タを含む異なる周波数からなる２種の標準電波を受信するストレ−ト方式の受信機であって、コアに巻回された２個のコイルボビンを選択スイッチで切り換えることにより、周波数の異なる２種の標準電波に対応してインダクタンス値を２通りに変えることができるアンテナを備えている。また、同調回路を構成する水晶フィルタには、２種の標準電波の各周波数に対応した発振周波数で発振する２個の水晶発振子が並列に接続されている。そして、我国で現在送出されている周波数４０KHzの標準電波と、送出が予定されている周波数６０KHzの標準電波との２種の標準電波を選択的に受信できるようにしている（例えば、特許文献１参照）。
【特許文献１】特開２００３−６０５２０号公報（第３頁、図１〜３）
【発明の開示】
【発明が解決しようとする課題】
【０００４】
上記特許文献１に記載されている標準電波受信機は、我国における周波数の異なる２種の標準電波のみを選択的に受信可能としている。
【０００５】
ところで、外国各地の電波局では、時刻デ−タをそれぞれ周波数の異なる標準電波に乗せて送出している。このため、外国への旅行や出張の際、１局もしくは２局対応の電波時計では、時刻デ−タを含む標準電波の受信による正確かつ自動的な時刻修正は困難である。
【０００６】
そこで、日本および外国における周波数の異なる複数の標準電波を確実に選択受信するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、バラクタを含む同調回路を備え、それぞれ時刻デ−タを含む周波数の異なる複数の標準電波のいずれかを選択受信する受信部と、前記複数の標準電波のそれぞれに対応した複数のフィルタを備え、前記受信部で選択受信した標準電波を通過させるフィルタ部と、該フィルタ部を通過した標準電波から前記時刻デ−タを復号する復号部と、前記バラクタへの印加直流電圧を可変し、前記同調回路の同調周波数を変化させて前記受信部に対し選局動作を行わせるバラクタ駆動部と、前記受信部による所定の選局動作終了を示す信号を受けて前記バラクタ駆動部の駆動状態をロックするロック部とを有する電波時計用受信モジュ−ルを提供する。
【０００８】
フィルタ部には、日本および外国の各地等で扱われている周波数の異なる複数の標準電波のそれぞれに対応した複数のフィルタが備えられている。バラクタ駆動部からの電圧値可変の直流電圧がバラクタへ印加されて上記日本および外国の各地等で扱われている標準電波の周波数範囲内で同調回路の同調周波数が変化し、その土地における周波数の標準電波が選択受信される。選択受信された標準電波は、その標準電波の周波数に対応したフィルタを通過して復号部に取り込まれ、時刻デ−タの復号が行われる。この復号信号が受信部による所定の選局動作終了を示す信号としてロック部に送られ、バラクタ駆動部の駆動状態がロックされて受信部による目的とする上記標準電波の選択受信状態が保持される。この目的とする標準電波の選択受信状態において復号部で復号された時刻デ−タが制御部等に送られて、電波時計の時刻修正が行われる。
【０００９】
請求項２記載の発明は、前記バラクタ駆動部には、直列入力・並列出力のシフトレジスタを備え、該シフトレジスタに直列に順次入力する入力デ−タ量に応じて前記並列出力の出力デ−タ量を変化させ、この変化する並列出力の出力デ−タ量に対応した電圧値可変の直流電圧を前記バラクタへの印加直流電圧とする請求項１記載の電波時計用受信モジュ−ルを提供する。
【００１０】
ビット数の大きなシフトレジスタを適用することで、並列出力の出力デ−タ量の変化範囲を大きくすることができて、バラクタへの印加直流電圧の変化範囲を大きくすることができる。
【００１１】
請求項３記載の発明は、前記ロック部は、前記直列入力の入力デ−タを、前記受信部による所定の選局動作終了を示す信号に対応したデ−タに保持するデ−タ・ラッチである請求項２記載の電波時計用受信モジュ−ルを提供する。
【００１２】
デ−タ・ラッチでシフトレジスタへの直列入力の入力デ−タを所定のデ−タに保持することで、シフトレジスタを備えたバラクタ駆動部の駆動状態がロックされてバラクタへの印加直流電圧が所定値に保持される。
【００１３】
請求項４記載の発明は、前記バラクタ駆動部は、電圧制御発信器の発信周波数を分周比可変のプログラマブル分周器で分周し、その分周信号と基準発信器からの基準信号との位相差を位相検出器で検出し、ル−プフィルタで前記位相差に対応した直流電圧を得て該直流電圧を前記電圧制御発信器に加えるフェ−ズロックル−プであり、前記プログラマブル分周器における分周比可変用のデ−タを順次変化させることにより前記電圧制御発信器への印加直流電圧を可変するとともに、該電圧制御発信器へ印加される電圧値可変の直流電圧を前記バラクタへの印加直流電圧とする請求項１記載の電波時計用受信モジュ−ルを提供する。
【００１４】
プログラマブル分周器における分周比の変化範囲を大きくすることにより、バラクタへの印加直流電圧の変化範囲を大きくすることができる。
【００１５】
請求項５記載の発明は、前記ロック部は、前記プログラマブル分周器における分周比可変用のデ−タを、前記受信部による所定の選局動作終了を示す信号に対応したデ−タに保持して、前記フェ−ズロックル−プのル−プ動作をロックするデ−タ・ラッチである請求項４記載の電波時計用受信モジュ−ルを提供する。
【００１６】
デ−タ・ラッチでプログラマブル分周器における分周比可変用のデ−タを所定のデ−タに保持することで、バラクタ駆動部としてのフェ−ズロックル−プのル−プ動作がロックされてバラクタへの印加直流電圧が所定値に保持される。
【００１７】
請求項６記載の発明は、前記フィルタ部には、日本および外国における３以上の複数の電波局から送出される周波数の異なる複数の標準電波に対応した複数のフィルタを備えさせた請求項１、２、３、４または５記載の電波時計用受信モジュ−ルを提供する。
【００１８】
受信部で選択受信されたその土地における目的とする周波数の標準電波が、その標準電波の周波数に対応したフィルタを適切に通過して復号部に送られる。
【発明の効果】
【００１９】
請求項１記載の発明は、バラクタを含む同調回路を備え、それぞれ時刻デ−タを含む周波数の異なる複数の標準電波のいずれかを選択受信する受信部と、前記複数の標準電波のそれぞれに対応した複数のフィルタを備え、前記受信部で選択受信した標準電波を通過させるフィルタ部と、該フィルタ部を通過した標準電波から前記時刻デ−タを復号する復号部と、前記バラクタへの印加直流電圧を可変し、前記同調回路の同調周波数を変化させて前記受信部に対し選局動作を行わせるバラクタ駆動部と、前記受信部による所定の選局動作終了を示す信号を受けて前記バラクタ駆動部の駆動状態をロックするロック部とを具備させたので、バラクタ駆動部からの電圧値可変の直流電圧でバラクタを駆動することにより、同調回路の同調周波数を日本および外国の各地等で扱われている標準電波の周波数範囲に相当する広い範囲で変化させて、その土地における目的とする周波数の標準電波を選択受信することができる。そして選択受信後は、ロック部によりその選択受信状態を保持することができる。したがって、日本および外国における周波数の異なる複数の標準電波を確実に選択受信することができるという利点がある。
【００２０】
請求項２記載の発明は、前記バラクタ駆動部には、直列入力・並列出力のシフトレジスタを備え、該シフトレジスタに直列に順次入力する入力デ−タ量に応じて前記並列出力の出力デ−タ量を変化させ、この変化する並列出力の出力デ−タ量に対応した電圧値可変の直流電圧を前記バラクタへの印加直流電圧としたので、ビット数の大きなシフトレジスタを適用することにより、バラクタへの印加直流電圧の変化範囲を大きくすることができて、同調回路の同調周波数を日本および外国の各地等で扱われている標準電波の周波数範囲に相当する広い範囲で変化させることができるという利点がある。
【００２１】
請求項３記載の発明は、前記ロック部は、前記直列入力の入力デ−タを、前記受信部による所定の選局動作終了を示す信号に対応したデ−タに保持するデ−タ・ラッチとしたので、デ−タ・ラッチでシフトレジスタへの直列入力の入力デ−タを所定のデ−タに保持することにより、シフトレジスタを備えたバラクタ駆動部の駆動状態をロックすることができて、目的とする周波数の標準電波の選択受信状態を確実に保持することができるという利点がある。
【００２２】
請求項４記載の発明は、前記バラクタ駆動部は、電圧制御発信器の発信周波数を分周比可変のプログラマブル分周器で分周し、その分周信号と基準発信器からの基準信号との位相差を位相検出器で検出し、ル−プフィルタで前記位相差に対応した直流電圧を得て該直流電圧を前記電圧制御発信器に加えるフェ−ズロックル−プであり、前記プログラマブル分周器における分周比可変用のデ−タを順次変化させることにより前記電圧制御発信器への印加直流電圧を可変するとともに、該電圧制御発信器へ印加される電圧値可変の直流電圧を前記バラクタへの印加直流電圧としたので、プログラマブル分周器における分周比の変化範囲を大きくすることにより、バラクタへの印加直流電圧の変化範囲を大きくすることができて、同調回路の同調周波数を日本および外国の各地等で扱われている標準電波の周波数範囲に相当する広い範囲で変化させることができるという利点がある。
【００２３】
請求項５記載の発明は、前記ロック部は、前記プログラマブル分周器における分周比可変用のデ−タを、前記受信部による所定の選局動作終了を示す信号に対応したデ−タに保持して、前記フェ−ズロックル−プのル−プ動作をロックするデ−タ・ラッチとしたので、デ−タ・ラッチでプログラマブル分周器における分周比可変用のデ−タを所定のデ−タに保持することにより、バラクタ駆動部としてのフェ−ズロックル−プのル−プ動作をロックすることができて、目的とする周波数の標準電波の選択受信状態を確実に保持することができるという利点がある。
【００２４】
請求項６記載の発明は、前記フィルタ部には、日本および外国における３以上の複数の電波局から送出される周波数の異なる複数の標準電波に対応した複数のフィルタを備えさせたので、選択受信したその土地における目的とする周波数の標準電波を、その標準電波の周波数に対応したフィルタを通過させることで、日本および外国における周波数の異なる複数の標準電波を一層確実に選択受信することができるという利点がある。
【発明を実施するための最良の形態】
【００２５】
日本および外国における周波数の異なる複数の標準電波を選択受信するという目的を、受信部における同調回路をバラクタを含めて構成し、該バラクタを駆動するバラクタ駆動部には直列入力・並列出力のシフトレジスタまたはフェ−ズロックル−プを適用して前記バラクタへの印加直流電圧の変化範囲を大きくとり、前記同調回路の同調周波数を日本および外国の各地等で扱われている標準電波の周波数範囲内で変化させることにより実現した。
【実施例１】
【００２６】
以下、本発明の実施例１を図面に従って詳述する。図１は電波時計用受信モジュ−ルのブロック図である。まず、本実施例に係る電波時計用受信モジュ−ルの構成を説明する。図１に示すように、モジュ−ルには、ＩＣ１、ＩＣ２および受信部３を含む所要の電子部品が実装されている。本実施例の受信モジュ−ルは、受信した標準電波をそのまま復号して時刻デ−タを得るストレ−トの受信方式が採用されており、前記受信部３には、同調コイル４、２個のコンデンサ５a、５bおよびバラクタ６で構成された同調回路７が備えられ、時刻デ−タを含む周波数の異なる複数の標準電波のいずれかを選択受信するように構成されている。
【００２７】
前記ＩＣ１内には、前記バラクタ６への印加直流電圧を可変し、前記同調回路７の同調周波数を変化させて前記受信部３に対し選局動作を行わせるバラクタ駆動部８、前記受信部３による所定の選局動作終了を示す信号を受けて前記バラクタ駆動部８の駆動状態をロックするロック部９、前記選局動作終了を示す信号を増幅するアンプ１０および前記選局動作終了を示す信号であることを確認した後、その信号を前記ロック部９に送る信号判別部１１が形成されている。
【００２８】
本実施例では、前記バラクタ駆動部８として、公知の直列入力・並列出力のシフトレジスタと、このシフトレジスタの並列出力の出力デ−タ量に対応した直流電圧で前記バラクタ６を駆動する駆動回路とが適用されている。直列入力・並列出力のシフトレジスタは、ビット数の大きなものを適用することで、並列出力の出力デ−タ量の変化範囲を大きくすることができて、バラクタ６への印加直流電圧の変化範囲を大きくすることができる。また、前記ロック部９としては、前記シフトレジスタへの直列入力の入力デ−タを、前記受信部３による所定の選局動作終了を示す信号に対応したデ−タに保持するデ−タ・ラッチが適用されている。
【００２９】
また、前記ＩＣ２内には、第１のアンプ１２、第２のアンプ１３、受信した標準電波から前記時刻デ−タを復号するデコ−ダ（復号部）１４、受信した標準電波および該標準電波から復号した時刻デ−タ等を記録・保持するレコ−ダ１５、並びにＩＣ内の電源を安定化するレギュレ−タ１６が形成されている。
【００３０】
前記ＩＣ２内における前記第１のアンプ１２の入力端子には、前記受信部３の出力端子がインピ−ダンス変換用のＦＥＴ１７を介して接続されている。また、前記第１のアンプ１２と第２のアンプ１３の間には、端子(６)〜(９)を介して日本および外国の各地等で扱われている周波数が例えば４０KHz、５０KHz、６０KHz、６６KHz、７５KHz、８０KHzの複数の標準電波のそれぞれに対応した複数のフィルタ１８a〜１８fからなるフィルタ部１８が接続されている。さらに、デコ−ダ１４で復号された時刻デ−タは、前記受信部３による所定の選局動作終了を示す信号として前記ロック部９側に送られるとともに時計側の制御部１９に送られて、制御部１９内の図示省略のＲＡＭに記憶されている時刻を修正するように構成されている。前記制御部１９には、時刻表示用の時計表示部２０が接続されている。
【００３１】
次に、上述のように構成された電波時計用受信モジュ−ルの作用を説明する。前記制御部１９からの時刻合わせ制御信号により、前記ロック部９によるバラクタ駆動部８における直列入力・並列出力のシフトレジスタのロック状態が解除され、シフトレジスタは、直列に順次入力する入力デ−タ量に応じて並列出力の出力デ−タ量が大きく変化する。前記駆動回路は、この大きく変化する並列出力の出力デ−タ量に対応した直流電圧で前記バラクタ６を駆動する。この結果、前記受信部３は、日本および外国の各地等で扱われている前記４０KHz〜８０KHzの標準電波の周波数範囲内で同調回路７の同調周波数が変化し、その土地における周波数の標準電波を選択受信する。
【００３２】
選択受信された標準電波は、フィルタ部１８においてその標準電波の周波数に対応したフィルタを通過してデコ−ダ１４に取り込まれ、時刻デ−タの復号が行われる。フィルタ部１８を通過した標準電波および該標準電波から復号した時刻デ−タはレコ−ダ１５に記録・保持される。また、復号された時刻デ−タは、前記アンプ１０で適宜に増幅され、信号判別部１１で選局動作終了を示す信号であることが確認された後、ロック部９に送られる。ロック部９は、この信号を受けてバラクタ駆動部８におけるシフトレジスタの駆動状態をロックする。この結果、前記受信部３による目的とする標準電波の選択受信状態が保持され、この目的とする標準電波の選択受信状態において前記デコ−ダ１４で復号された時刻デ−タが制御部１９に送られて、制御部１９内のＲＡＭに記憶されている時刻デ−タが修正される。そして、その修正された時刻が時計表示部２０に表示される。このようにして、電波時計の時刻修正が行われる。
【００３３】
前記制御部１９からの時刻合わせ制御信号の発信は、ＲＡＭに記憶されているプログラムに基づき、１日のうちの適宜の時間に、例えば２回行われて、上記の電波時計の時刻修正が自動的に行われる。また、制御部１９に設けられている図示省略の時刻合わせ釦を押すことにより、任意の時間に上記の時刻修正を行わせることもできる。
【００３４】
上述したように、本実施例に係る電波時計用受信モジュ−ルにおいては、直列入力・並列出力のシフトレジスタを備えたバラクタ駆動部８における電圧値可変の直流電圧でバラクタ６を駆動することにより、同調回路７の同調周波数を日本および外国の各地等で扱われている前記４０KHz〜８０KHzの標準電波の周波数範囲内で変化させて、その土地における目的とする周波数の標準電波を選択受信することができる。そして選択受信後は、ロック部９によりその選択受信状態を保持することができる。したがって、日本および外国における周波数の異なる複数の標準電波を確実に選択受信することができる。
【実施例２】
【００３５】
次に、本発明の実施例２を説明する。本実施例では、前記ＩＣ１内のバラクタ駆動部８として、公知のフェ−ズロックル−プ（以下、ＰＬＬという）が適用されている。ＰＬＬは、電圧制御発信器の発信周波数を分周比可変のプログラマブル分周器で分周し、その分周信号と基準発信器からの基準信号との位相差を位相検出器で検出し、ル−プフィルタで前記位相差に対応した直流電圧を得て該直流電圧を前記電圧制御発信器に加えるように構成されている。
【００３６】
そして、前記プログラマブル分周器における分周比可変用のデ−タを順次変化させることにより前記電圧制御発信器への印加直流電圧を可変するとともに、該電圧制御発信器へ印加される電圧値可変の直流電圧を前記バラクタ６への印加直流電圧とすることにより、該ＰＬＬをバラクタ駆動部８として機能させている。ＰＬＬは、前記プログラマブル分周器における分周比の変化範囲を大きくすることにより、バラクタ６への印加直流電圧の変化範囲を大きくすることができる。
【００３７】
また、前記ロック部９としては、前記プログラマブル分周器における分周比可変用のデ−タを、前記受信部３による所定の選局動作終了を示す信号に対応したデ−タに保持して、前記ＰＬＬのル−プ動作をロックするデ−タ・ラッチが適用されている。その他の構成は、前記実施例１と同じである。
【００３８】
本実施例に係る電波時計用受信モジュ−ルの作用を説明すると、前記制御部１９からの時刻合わせ制御信号により、前記ロック部９によるバラクタ駆動部８としてのＰＬＬのロック状態が解除され、ＰＬＬは、前記プログラマブル分周器における分周比が大きく変化されて、前記電圧制御発信器への印加直流電圧が大きく変化する。バラクタ駆動部８としてのＰＬＬは、この大きく変化する直流電圧で前記バラクタ６を駆動する。この結果、前記受信部３は、日本および外国の各地等で扱われている前記４０KHz〜８０KHzの標準電波の周波数範囲内で同調回路７の同調周波数が変化し、その土地における周波数の標準電波を選択受信する。標準電波の選択受信後の作用は、前記実施例１と同じである。
【００３９】
上述したように、本実施例においては、バラクタ駆動部８としてのＰＬＬにおけるプログラマブル分周器の分周比変化範囲を大きくすることにより、バラクタ６への印加直流電圧の変化範囲を大きくすることができる。したがって、同調回路７の同調周波数を日本および外国の各地等で扱われている前記４０KHz〜８０KHzの標準電波の周波数範囲内で変化させて、その土地における目的とする周波数の標準電波を選択受信することができる。そして選択受信後は、ロック部９によりその選択受信状態を保持することができる。したがって、日本および外国における周波数の異なる複数の標準電波を確実に選択受信することができる。
【００４０】
なお、本発明は、本発明の精神を逸脱しない限り種々の改変をなすことができ、そして、本発明が該改変されたものにも及ぶことは当然である。
【図面の簡単な説明】
【００４１】
【図１】本発明の実施例１に係る電波時計用受信モジュ−ルのブロック図。
【符号の説明】
【００４２】
１、２    ＩＣ
３    受信部
６    バラクタ
７    同調回路
８    バラクタ駆動部
９    ロック部
１４    デコ−ダ（復号部）
１８    フィルタ部
１８a〜１８f    フィルタ
１９    制御部
２０    時計表示部
【図１】
2005079919.tif 000003